(57)【要約】【課題】高コントラスト化とともに高輝度化をも図ることができるプラズマディスプレイパネルを提供すること。【解決手段】プラズマディスプレイパネル（ＰＤＰ）１００は、隔壁１２１と蛍光体層１２２の間、及び、背面板１２０の放電セル１３０に面するセル底面と蛍光体層１２２との間に、蛍光体層１２２の発光波長域の光を選択的に反射するサブ波長構造層１２５を備える。サブ波長構造層１２５によって、蛍光体層１２２からの発光光束が効率よく反射されて前面板１１０側に射出されるため、高輝度化を実現することができ、同時に、外光の分光成分のうち蛍光体層１２２の発光波長以外の光成分の反射が抑制されるため、高コントラスト化も実現することができる。【選択図】図１
2009129834.tif 000002
【特許請求の範囲】
【請求項１】
互いに離隔して対向配置される前面板及び背面板と、前記前面板と前記背面板との間に形成される放電空間を区画する隔壁と、前記隔壁により区画された放電セル内に形成される蛍光体層と、前記前面板及び背面板にそれぞれ配列され、前記放電セル内で放電を発生させるための電極とを備えるプラズマディスプレイパネルであって、
前記隔壁と前記蛍光体層との間、及び／又は、前記背面板の前記放電セルに面するセル底面と前記蛍光体層との間に、前記蛍光体層の発光波長域の光を選択的に反射するサブ波長構造層を備える、
プラズマディスプレイパネル。
【請求項２】
前記隔壁及び／又は前記セル底面と前記サブ波長構造層との間に、光吸収層を備える、請求項１記載のプラズマディスプレイパネル。
【請求項３】
前記光吸収層は、前記蛍光体層の発光波長域以外の光を吸収する層である、請求項２記載のプラズマディスプレイパネル。
【請求項４】
前記隔壁及び／又は前記セル底面の、少なくとも前記放電セル側の表面は、光吸収機能を有する、請求項１記載のプラズマディスプレイパネル。
【請求項５】
前記光吸収機能は、前記蛍光体層の発光波長域以外の光を吸収する機能である、請求項４記載のプラズマディスプレイパネル。
【発明の詳細な説明】
【技術分野】
【０００１】
本発明は、プラズマディスプレイパネル（Plasma Display Panel：ＰＤＰ）に関し、特に高輝度かつ高コントラストなプラズマディスプレイパネルに関する。
【背景技術】
【０００２】
従来から、自発光するディスプレイは視野角の依存性が無く、自然な映像が得られるため、広くディスプレイとして使用されている。特に、プラズマディスプレイパネルは、薄型であり、大画面を構成するのに最適である。
【０００３】
一般に、プラズマディスプレイパネルをはじめとする自発光型表示装置は、液晶ディスプレイパネルと比較してコントラストが低いことが課題とされている。特に、このような自発光型表示装置は、設置される環境の明るさが明るいときにコントラストが低くなる。
【０００４】
これは、外光が表示部に入射し、反射するためである。このため、従来の自発光型表示装置では、通常、蛍光体層よりも観察者側に透過率の低いフィルタを配置している。この場合、外光は前記フィルタを透過して蛍光体層に到達し、ここで反射し、再度前記フィルタを透過して観察される。これに対して、蛍光体層からの発光光束は一度だけ前記フィルタを通過して観察される。したがって、前記フィルタでの光量低下は、外光のほうがより多く影響され、明るい場所でのコントラストが改善される。しかし、この構成では、必然的に前記フィルタにおいて発光光束も吸収されて減衰されるため、輝度が低下するという課題が残る。そこで、コントラストと輝度の両方を改善する技術として、例えば、特許文献１及び特許文献２に記載されたものが知られている。
【０００５】
特許文献１には、蛍光体層と隔壁又はセル底面との間に蛍光体層が発光する発光色を効率よく反射する膜又は層を設けて、コントラストを改善する方法が開示されている。特に、特許文献１に記載のプラズマディスプレイ装置は、膜又は層の構成として、各蛍光体層の発光色に合わせた色顔料、又は光学フィルタ特性を持たせた干渉膜を用いることにより、輝度の増加を図りつつ色純度及びコントラストを改善するようにしている。
【０００６】
また、特許文献２には、蛍光体層下部の光反射層、又は誘電体層及び隔壁に、黒色顔料又は色顔料を混ぜ合わせるプラズマディスプレイパネルが開示されている。
【特許文献１】特開平８−１３８５５９号公報
【特許文献２】特開平１１−１６２３５７号公報
【非特許文献１】Photophysics of Structural Color in the MorphoButterflies Forma, 17, 103-121, 2002
【発明の開示】
【発明が解決しようとする課題】
【０００７】
しかしながら、特許文献１及び特許文献２に記載の従来のプラズマディスプレイパネルにあっては、以下のような問題がある。
【０００８】
すなわち、黒色顔料を用いた構成では、コントラストは改善するものの、輝度が低下するという問題があった。その理由は、色顔料では蛍光体で発光した必要な波長成分の光を少ない損失で反射させることができるのに対し、黒色顔料では必要な波長成分の光も不必要な波長成分の光も一律に吸収してしまうことによる。特許文献２の段落〔００３５〕に黒色顔料の場合６４％の光利用効率、同〔００４３〕に色顔料の場合８２％の光利用効率となる旨の記載がある。
【０００９】
また、色顔料を用いた構成では、輝度の低下は黒色顔料を用いた場合よりも改善するが、十分ではなかった。その理由は、色顔料の発色は色顔料を構成する材料特性に依存するため、色顔料の分光反射率のピーク波長を必要とする蛍光体の発光波長に任意に合わせることは不可能で、夫々の波長があわずに最適な反射特性を実現することは困難であることによる。また、干渉膜を用いた構成では、プラズマディスプレイパネルの製造工程に必要な高温プロセスに耐える膜材料が必要であるため、その実現は困難である。
【００１０】
本発明は、かかる点に鑑みてなされたものであり、高コントラスト化とともに高輝度化をも図ることができるプラズマディスプレイパネルを提供することを目的とする。
【課題を解決するための手段】
【００１１】
本発明のプラズマディスプレイパネルは、互いに離隔して対向配置される前面板及び背面板と、前記前面板と前記背面板との間に形成される放電空間を区画する隔壁と、前記隔壁により区画された放電セル内に形成される蛍光体層と、前記前面板及び背面板にそれぞれ配列され、前記放電セル内で放電を発生させるための電極とを備えるプラズマディスプレイパネルであって、前記隔壁と前記蛍光体層との間、及び／又は、前記背面板の前記放電セルに面するセル底面と前記蛍光体層との間に、前記蛍光体層の発光波長域の光を選択的に反射するサブ波長構造層を備える、構成を採る。
【発明の効果】
【００１２】
本発明によれば、高コントラスト化とともに高輝度化をも図ることができる。
【発明を実施するための最良の形態】
【００１３】
以下、本発明を実施するための最良の形態について、図面を参照しながら説明する。
【００１４】
（実施の形態１）
図１は、本発明の実施の形態１に係るプラズマディスプレイパネル（ＰＤＰ）の概略断面図であり、発光色毎に空間的に分離された発光領域となる放電セル（以下単に「セル」ともいう）の１つを断面で示している。
【００１５】
図１において、プラズマディスプレイパネル（ＰＤＰ）１００は、互いに離隔して対向配置された前面板１１０と背面板１２０を備えている。なお、図１では、本実施の形態の特徴的な構成を示しており、その他の部分については一部省略している。
【００１６】
前面板１１０と背面板１２０の間の空間には、プラズマ放電を発生させる放電空間が形成されている。放電空間には、ヘリウム（Ｈｅ）やネオン（Ｎｅ）、キセノン（Ｘｅ）、アルゴン（Ａｒ）などを混合した放電ガスが封入されている。放電空間は、隔壁１２１により複数の区画に仕切られており、単位発光領域となる複数の放電セル１３０が形成されている。３つの隣り合う放電セル１３０の内壁には、赤色（Ｒ）、緑色（Ｇ）、青色（Ｂ）の各蛍光体層が放電セル毎に色分けして塗布されている。
【００１７】
前面板１１０には、ＰＤＰ１００としての機能を実現するために、電極や誘電体層、保護膜などの各構成要素がそれぞれ適切な位置に形成されている。例えば、前面板１１０は、ガラスなどからなる前面基板１１０ａ上に、透明電極１１１及び金属電極１１２からなる走査電極と、透明電極１１３及び金属電極１１４からなる維持電極とで対をなすストライプ状の表示電極が複数形成され、また、この表示電極を覆うように、例えば、ガラスなどからなる誘電体層１１５が形成されている。さらに、誘電体層１１５上には、例えば、酸化マグネシウム（ＭｇＯ）からなる保護層１１６が形成されている。また、遮光部１１７は、外光の吸収を行い、コントラストの低下を抑制する。また、同様に、反射防止膜１１８は、外光の反射を抑制し、コントラストの低下を抑制する。なお、これらの構成は一例であり、様々な変形例を適用することができる。
【００１８】
また、例えば、背面板１２０は、ガラスなどからなる背面基板１２０ａ上に、前面板１１０と背面板１２０との間に形成される放電空間を区画し放電セル１３０を形成する隔壁１２１と、隔壁１２１により区画された放電セル１３０内に形成される蛍光体層１２２と、絶縁体層１２３で覆われたデータ電極１２４とを備える。
【００１９】
さらに、背面板１２０は、放電セル１３０を構成する隔壁１２１と蛍光体層１２２との間、及び、背面板１２０を覆う絶縁体層１２３のうち放電セル１３０に面する部分（セル底面部分）と蛍光体層１２２との間に、蛍光体層１２２の発光波長域の光を選択的に反射するサブ波長構造層１２５を備える。背面板１２０は、絶縁体層１２３で覆われたデータ電極１２４と、ストライプ状の複数の隔壁１２１とが、前面板１１０と背面板１２０の間に形成されている。
【００２０】
このように、本実施の形態に係るプラズマディスプレイパネル（ＰＤＰ）１００は、隔壁１２１と蛍光体層１２２との間、及び、セル底面部分の絶縁体層１２３と蛍光体層１２２との間に、蛍光体層１２２の発光波長域の光を選択的に反射するサブ波長構造層１２５を備える構成を特徴としている。
【００２１】
ここで、サブ波長構造層１２５について、図２を用いて詳細に説明する。図２は、サブ波長構造層１２５の拡大断面図である。
【００２２】
サブ波長構造層１２５は、微細な３次元立体構造による構造色（structural color）発現部であり、構造上、蛍光体層１２２の発光波長域の光を選択的に反射する機能を有する。例えば、非特許文献１には、モルフォ蝶（Morpho Butterflies）が有する構造色の解析結果が示されている。構造色は、光の波長又はそれ以下の微細構造によって生じる光の干渉による発色現象である。すなわち、構造色は、色素や発光によらない発色現象であるため、色素や顔料による発色と異なり、紫外線などにより脱色することがない。また、構造色の場合、積層構造を最適化することにより、可視光線をほぼ完全に反射させることも可能である。
【００２３】
図２に示すように、サブ波長構造層１２５は、複数の柱状体１５０と複数の平行平板１５１群を組み合わせて構成されている。柱状体１５０は、背面板１２０の絶縁体層１２３から蛍光体層１２２側に略垂直方向に林立して突出伸長している。また、平行平板１５１群は、各柱状体１５０において、各柱状体１５０の伸長方向と略垂直方向に一定の間隔で平行配置されている。サブ波長構造層１２５は、例えば、集束イオンビーム装置を用いて、無機材料を微細加工して形成される。
【００２４】
このような構成を有するサブ波長構造層１２５は、平行平板１５１の屈折率をｎ、平行平板１５１の厚みをａ、平行平板１５１に挟まれた空間の厚み（平行平板１５１の間隔）をｂ、蛍光体層１２２から射出する蛍光発光色の波長をλとするとき、次の式（１）を満足することにより、蛍光体層１２２の発光波長域の光を選択的に反射することができる。
λ／２＝ａ×ｎ＋ｂ    …（１）
【００２５】
すなわち、蛍光体層１２２の発光波長域に応じて平行平板１５１の屈折率ｎ、厚みａ、及び間隔ｂが上記式（１）を満足するようにサブ波長構造層１２５を形成することにより、赤色、青色、又は緑色の各発光波長域の光を選択的に反射させることができる。例えば、モルフォ蝶の翅は、金属光沢に富んだ鮮やかな青色をしているが、これは鱗粉表面に刻まれた格子状の構造による構造色である。この格子状の構造は青色の光の波長の丁度半分に相当する２００ｎｍの間隔で並んでおり、干渉により青色の光のみが反射される。ＰＤＰ１００において、蛍光体層１２２の発光波長域から青色の波長の光を選択的に反射させる場合には、青色の波長λが上記式（１）を満足するように平行平板１５１の屈折率ｎ、厚みａ、及び間隔ｂを決定してサブ波長構造層１２５を構成すればよい。また、同様に、蛍光体層１２２の発光波長域から赤色又は緑色の波長の光を選択的に反射させる場合には、赤色又は緑色の波長λが上記式（１）を満足するようにサブ波長構造層１２５を構成すればよい。
【００２６】
したがって、このようなサブ波長構造層１２５を形成することにより、広い波長域で発光する蛍光発光波長域を狭帯域化して色純度を高めることができる。また、上記式（１）を満足する平行平板１５１の屈折率、厚み、及び間隔を適度に分散させたサブ波長構造層１２５とすることにより、赤色、青色、及び緑色の各発光波長域において、より広い波長域での選択的反射を実現することができる。このような作用により、実効的な発光効率を向上することができ、輝度の向上を図ることができる。
【００２７】
また、このようなサブ波長構造層１２５において、特に赤色の波長域の光を選択的に反射するサブ波長構造層１２５に外光が入射すると、赤色以外の外光成分は、当該サブ波長構造層１２５を透過し、絶縁体層１２３に入射して吸収される。また、青色の波長域の光を選択的に反射するサブ波長構造層１２５に外光が入射すると、青色以外の外光成分は、当該サブ波長構造層１２５を透過し、絶縁体層１２３に入射して吸収される。また、緑色の波長域の光を選択的に反射するサブ波長構造層１２５に外光が入射すると、緑色以外の外光成分は、当該サブ波長構造層１２５を透過し、絶縁体層１２３に入射して吸収される。このような作用により、外光の反射が低減され、コントラストも向上することができる。
【００２８】
なお、上記のように、サブ波長構造層１２５は、色素や顔料による発色と異なり、サブ波長構造を最適化することにより、蛍光体層１２２の発光波長域から特定の色の光をほぼ完全に反射させることも可能である。
【００２９】
次に、上記構成を有するＰＤＰ１００の動作について説明する。
【００３０】
上記のように構成されたＰＤＰ１００において、電極間に電圧が印加されると、放電セル１３０に放電が発生し、励起された、例えば、混合ガス中のヘリウム（Ｈｅ）原子から紫外線が発生する。そして、発生した紫外線により蛍光体層１２２が励起されて可視光が発生し、表示動作が行われる。すなわち、表示電極とデータ電極との交点となる複数の放電セルで構成される微小領域において表示動作が行われて画像が表示される。このとき、蛍光体層１２２からの発光光束がサブ波長構造層１２５によって効率よく反射されて前面板１１０側に射出されるため、高輝度化が図られ、同時に、外光の分光成分のうち蛍光体層１２２の発光波長域以外の光成分の反射がサブ波長構造層１２５によって抑制されるため、高コントラスト化も図られる。また、遮光部１１７は、外光の吸収を行って、コントラストの低下を抑制している。また、反射防止膜１１８は、外光の反射を抑制して、コントラストの低下を抑制している。
【００３１】
このように、本実施の形態によれば、隔壁１２１と蛍光体層１２２の間、及び、背面板１２０の放電セル１３０に面するセル底面と蛍光体層１２２との間に、蛍光体層１２２の発光波長域の光を選択的に反射するサブ波長構造層１２５を備えているため、蛍光体層１２２で生じた発光光束はサブ波長構造層１２５により選択的に反射され、高コントラスト化とともに高輝度化をも図ることができる。
【００３２】
すなわち、本実施の形態によれば、サブ波長構造層１２５によって、蛍光体層１２２からの発光光束が効率よく反射されて前面板１１０側に射出されるため、高輝度化を実現することができ、同時に、外光の分光成分のうち蛍光体層１２２の発光波長以外の光成分の反射が抑制されるため、高コントラスト化も実現することができる。
【００３３】
また、本実施の形態によれば、サブ波長構造層１２５は、色素や顔料による発色と異なり、紫外線などにより劣化することがないため、長寿命化も図ることができる。
【００３４】
また、本実施の形態によれば、色素や顔料による発色と異なり、サブ波長構造を最適化することにより蛍光体層１２２の発光波長域の光をほぼ完全に選択的に反射させることができるため、高コントラスト化と高輝度化の両立をより高い次元で図ることができる。
【００３５】
また、サブ波長構造層１２５による発光波長域の光の選択的反射は、光の波長又はそれ以下の微細構造によって生じる光の干渉による発色現象であり、色素や顔料による発色のように光の吸収が電子により行われるものではない。したがって、サブ波長構造層１２５の材質として、高温プロセスに耐える材料（例えば、無機材料）を用いることができ、プラズマディスプレイパネルの製造工程においても容易に実施することができる。
【００３６】
なお、本実施の形態では、図２に示すように、絶縁体層１２３と蛍光体層１２２の間に空隙があり、この空隙にサブ波長構造層１２５が形成されているが、これに限定されるわけではなく、空隙無しに蛍光体層内にサブ波長構造層を形成するようにしてもよい。この場合、蛍光体層の屈折率をｎｈとしたとき、次の式（２）を満足することにより、サブ波長構造層を含む蛍光体層は、当該蛍光体層の発光波長域の光を選択的に反射することができ、上記と同様の効果を得ることができる。
λ／２＝ａ（ｎ−ｎｈ）＋ｂ    …（２）
【００３７】
（実施の形態２）
図３は、本発明の実施の形態２に係るプラズマディスプレイパネル（ＰＤＰ）の概略断面図であり、発光色毎に空間的に分離された発光領域となる放電セルの１つを断面で示している。なお、このＰＤＰは、図１に示す実施の形態１に対応するＰＤＰと同様の基本的構成を有しており、同一の構成要素には同一の符号を付し、その説明を省略する。
【００３８】
図３に示すプラズマディスプレイパネル（ＰＤＰ）２００は、互いに離隔して対向配置された前面板１１０と背面板２２０を備えている。特に、本実施の形態では、背面板２２０は、隔壁１２１及びセル底面部分の絶縁体層１２３とサブ波長構造層１２５との間に光吸収層２２１が設けられている。なお、光吸収層２２１は、少なくとも隔壁１２１及びセル底面部分の絶縁体層１２３のいずれか一方とサブ波長構造層１２５との間に設けてもよい。
【００３９】
光吸収層２２１は、赤色（Ｒ）、青色（Ｂ）、緑色（Ｇ）の各蛍光体層１２２に対応して以下の材質の光吸収材料を用いることができる。例えば、（１）赤色を発光する蛍光体層１２２を有する放電セルの隔壁１２１及び／又はセル底面部分の絶縁体層１２３とサブ波長構造層１２５との間の光吸収層２２１（つまり、赤色を発光する蛍光体層を有する放電セルの光吸収層）は、酸化鉄、（２）青色を発光する蛍光体層１２２を有する放電セルの隔壁１２１及び／又はセル底面部分の絶縁体層１２３とサブ波長構造層１２５との間の光吸収層２２１（つまり、青色を発光する蛍光体層を有する放電セルの光吸収層）は、アルミン酸コバルト、（３）緑色を発光する蛍光体層１２２を有する放電セルの隔壁１２１及び／又はセル底面部分の絶縁体層１２３とサブ波長構造層１２５との間の光吸収層２２１（つまり、緑色を発光する蛍光体層を有する放電セルの光吸収層）は、コバルトグリーン、をそれぞれ用いることができる。
【００４０】
このように、本実施の形態に係るプラズマディスプレイパネル（ＰＤＰ）２００は、隔壁１２１と蛍光体層１２２との間、及び、セル底面部分の絶縁体層１２３と蛍光体層１２２との間に、蛍光体層１２２の発光波長域の光を選択的に反射するサブ波長構造層１２５を備えるとともに、このサブ波長構造層１２５と隔壁１２１及び／又はセル底面部分の絶縁体層１２３との間に、光吸収層２２１を備える構成を特徴としている。
【００４１】
次に、上記構成を有するプラズマディスプレイパネル（ＰＤＰ）２００の動作について説明する。
【００４２】
このＰＤＰ２００は、電極間に電圧が印加されると、放電セル１３０に放電が発生し、励起された、例えば、混合ガス中のヘリウム（Ｈｅ）原子から紫外線が生じる。そして、発生した紫外線により蛍光体層１２２が励起されて可視光が発生し、表示動作が行われる。すなわち、表示電極とデータ電極との交点となる複数の放電セルで構成される微小領域において表示動作が行われて画像が表示される。このとき、遮光部１１７は、外光の吸収を行って、コントラストの低下を抑制している。また、反射防止膜１１８は、外光の反射を抑制して、コントラストの低下を抑制している。
【００４３】
また、サブ波長構造層１２５によって、蛍光体層１２２からの発光光束が効率よく反射され前面板１１０側に射出されるため、高輝度化が図られるとともに、外光の分光成分のうち、蛍光体層１２２の発光波長域以外の光成分の反射が抑制されるため、高コントラスト化も図られる。そして、さらに、本実施の形態では、サブ波長構造層１２５を透過してきた外光成分は、光吸収層２２１でより効率よく吸収されるため、より一層の高コントラスト化を実現することができる。すなわち、外光は、蛍光体層１２２及びサブ波長構造層１２５を一部透過してこの光吸収層２２１に到達するが、この光吸収層２２１によって蛍光体層１２２の発光波長域以外の外光は吸収されるため、コントラストがより一層向上する。
【００４４】
このように、本実施の形態によれば、サブ波長構造層１２５と隔壁１２１及び／又はセル底面部分の絶縁体層１２３との間に、蛍光体層１２２の発光波長域以外の光を吸収する光吸収層２２１を備えているため、実施の形態１の効果に加えて、蛍光体層１２２及びサブ波長構造層１２５を透過した外光についても、光吸収層２２１によって蛍光体層１２２の発光波長域以外の外光を吸収することができ、コントラストをより一層向上することができる。
【００４５】
なお、光吸収層２２１は、例えば、マグネタイトやチタンブラックなどの可視光を吸収する材料を用いてもよい。これによってもコントラストを向上させることができるが、本実施の形態によれば、蛍光体層１２２の発光波長域以外の外光を吸収する、すなわち蛍光体層１２２の発光波長域の外光だけは吸収しないことで、さらにコントラストを向上することができる。
【００４６】
（実施の形態３）
図４は、本発明の実施の形態３に係るプラズマディスプレイパネル（ＰＤＰ）の概略断面図であり、発光色毎に空間的に分離された発光領域となる放電セルの１つを断面で示している。なお、このＰＤＰは、図１に示す実施の形態１に対応するＰＤＰと同様の基本的構成を有しており、同一の構成要素には同一の符号を付し、その説明を省略する。
【００４７】
図４に示すプラズマディスプレイパネル（ＰＤＰ）３００は、互いに離隔して対向配置された前面板１１０と背面板３２０を備えている。特に、本実施の形態では、背面板３２０は、少なくとも表面が光吸収機能を有する隔壁３２１と、セル底面部分の少なくとも放電セル側の表面が光吸収機能を有する絶縁体層３２２とを備えている。
【００４８】
隔壁３２１は、前面板１１０と背面板３２０の間に形成される放電空間を区画し、放電セル１３０を形成する。隔壁３２１及びセル底面部分の絶縁体層３２２は、いずれも、少なくとも表面（特に、セル底面部分の絶縁体層３２２の場合は、放電セル側の表面）が光吸収機能を有する。また、隔壁３２１及びセル底面部分の絶縁体層３２２と蛍光体層１２２との間には、蛍光体層１２２の発光波長域を選択的に反射するサブ波長構造層１２５が設けられている。すなわち、サブ波長構造層１２５の下には、光吸収機能をそれぞれ有する隔壁３２１及び絶縁体層３２２が設けられている。
【００４９】
隔壁３２１及び絶縁体層３２２は、少なくとも表面が、ある波長域の光を吸収する機能を有する。隔壁３２１及び絶縁体層３２２は、赤色（Ｒ）、青色（Ｂ）、緑色（Ｇ）の各蛍光体層１２２に対応して、以下の材質の光吸収材料を混入することにより、それぞれ形成することができる。例えば、（１）赤色を発光する蛍光体層１２２を有する放電セルの隔壁３２１及びセル底面部分の絶縁体層３２２には、酸化鉄、（２）青色を発光する蛍光体層１２２を有する放電セルの隔壁３２１及びセル底面部分の絶縁体層３２２には、アルミン酸コバルト、（３）緑色を発光する蛍光体層１２２を有する放電セルの隔壁３２１及びセル底面部分の絶縁体層３２２には、コバルトグリーン、を混入した構成材料をそれぞれ用いることができる。
【００５０】
このように、本実施の形態に係るプラズマディスプレイパネル（ＰＤＰ）３００は、隔壁３２１と蛍光体層１２２との間、及び、セル底面部分の絶縁体層３２２と蛍光体層１２２との間に、蛍光体層１２２の発光波長域の光を選択的に反射するサブ波長構造層１２５を備えるとともに、このサブ波長構造層１２５の下に、少なくとも表面が光吸収機能を有する隔壁３２１及び絶縁体層３２２を備える構成を特徴としている。
【００５１】
次に、上記構成を有するプラズマディスプレイパネル（ＰＤＰ）３００の動作について説明する。
【００５２】
このＰＤＰ３００は、電極間に電圧が印加されると、放電セル１３０に放電が発生し、励起された、例えば、混合ガス中のヘリウム（Ｈｅ）原子から紫外線が生じる。そして、発生した紫外線により蛍光体層１２２が励起されて可視光が発生し、表示動作が行われる。すなわち、表示電極とデータ電極との交点となる複数の放電セルで構成される微小領域において表示動作が行われて画像が表示される。このとき、遮光部１１７は、外光の吸収を行って、コントラストの低下を抑制している。また、反射防止膜１１８は、外光の反射を抑制して、コントラストの低下を抑制している。
【００５３】
また、サブ波長構造層１２５によって、蛍光体層１２２からの発光光束が効率よく反射され前面板１１０側に射出されるため、高輝度化が図られるとともに、外光の分光成分のうち、蛍光体層１２２の発光波長域以外の光成分の反射が抑制されるため、高コントラスト化も図られる。そして、さらに、本実施の形態では、サブ波長構造層１２５を透過してきた外光成分は、光吸収機能を有する隔壁３２１及び絶縁体層３２２でより効率よく吸収されるため、より一層の高コントラスト化を実現することができる。すなわち、外光は、蛍光体層１２２及びサブ波長構造層１２５を一部透過して隔壁３２１及び絶縁体層３２２の表面に到達するが、これらの表面で蛍光体層１２２の発光波長域以外の外光は吸収されるため、コントラストがより一層向上する。
【００５４】
このように、本実施の形態によれば、隔壁３２１の少なくとも表面及びセル底面部分の絶縁体層３２２の少なくとも放電セル側の表面が、蛍光体層１２２の発光波長域以外の光を吸収する光吸収機能を有しているため、実施の形態２と同様の効果、つまり、実施の形態１の効果に加えて、蛍光体層１２２及びサブ波長構造層１２５を一部透過した外光についても、光吸収機能を有する隔壁３２１及び絶縁体層３２２によって蛍光体層１２２の発光波長域以外の外光を吸収することができ、コントラストをより一層向上することができる。
【００５５】
なお、隔壁３２１及び絶縁体層３２２は、例えば、マグネタイトやチタンブラックなどの可視光を吸収する材料を混入させて形成してよい。これによってもコントラストを向上させることができるが、本実施の形態によれば、蛍光体層１２２の発光波長域以外の外光を吸収する、すなわち蛍光体層１２２の発光波長域の外光だけは吸収しないことで、さらにコントラストを向上することができる。
【００５６】
また、本実施の形態では、サブ波長構造層１２５の下に、光吸収機能をそれぞれ有する隔壁３２１及び絶縁体層３２２を設けているが、これに限定されるわけではなく、光吸収機能を有する面が一部領域でも存在すればよい。例えば、隔壁及びセル底面部分の絶縁体層のいずれか一方のみが光吸収機能を有していてもよい。また、本実施の形態では、セル底面の表面は絶縁体層３２２であり、この絶縁体層３２２が光吸収機能を有しているが、セル底面の表面であればよく、特に絶縁体層には限定されない。
【００５７】
以上の説明は、本発明の好適な実施の形態の例証であり、本発明の範囲はこれに限定されない。
【００５８】
例えば、上記各実施の形態では、隔壁１２１、３２１と蛍光体１２２との間、及び、セル底面と蛍光体層１２２との間に、サブ波長構造層１２５を設けているが、このサブ波長構造層１２５は、光の波長又はそれ以下の微細構造によって生じる光の干渉により、蛍光体層１２２の発光波長域の光を選択的に反射するものであれば、どのような構造を有するものであってもよい。
【００５９】
また、上記各本実施の形態では、プラズマディスプレイパネル（ＰＤＰ）という名称を用いたが、これは説明の便宜上であり、例えば、プラズマディスプレイ装置やＰＤＰ表示装置などであってもよいことは勿論である。
【産業上の利用可能性】
【００６０】
本発明のプラズマディスプレイパネルは、高コントラスト化と高輝度化が要望されるプラズマディスプレイパネルに有用である。すなわち、高コントラストで明るい画像表示が可能であり、ＴＶ受像機や情報端末ディスプレイなどの高性能化、省電力化に貢献できる。
【図面の簡単な説明】
【００６１】
【図１】本発明の実施の形態１に係るプラズマディスプレイパネルの断面図
【図２】実施の形態１に係るプラズマディスプレイパネルのサブ波長構造層の拡大断面図
【図３】本発明の実施の形態２に係るプラズマディスプレイパネルの断面図
【図４】本発明の実施の形態３に係るプラズマディスプレイパネルの断面図
【符号の説明】
【００６２】
１００、２００、３００  プラズマディスプレイパネル（ＰＤＰ）
１１０  前面板
１１０ａ  前面基板
１１１、１１３  透明電極
１１２、１１４  金属電極
１１５  誘電体層
１１６  保護層
１１７  遮光部
１１８  反射防止膜
１２０、２２０、３２０  背面板
１２０ａ、２２０ａ、３２０ａ  背面基板
１２１、３２１  隔壁
１２２  蛍光体層
１２３、３２２  絶縁体層
１２４  データ電極
１２５  サブ波長構造層
１３０  放電セル
２２１  光吸収層
【図１】
2009129834.tif 000003
【図２】
2009129834.tif 000004
【図３】
2009129834.tif 000005
【図４】
2009129834.tif 000006